(57)【要約】【課題】観察者が偏光めがねをかけて眺めた場合でも、見る方向によって表示面が見えなくなることのない偏光サングラス対応を可能とする薄型の液晶表示装置、電子機器、及び偏光体を提供する。【解決手段】液晶表示装置２は、画素電極及び共通電極を有する一対の基板の間に液晶を挟持して形成された液晶表示パネル１２と、液晶表示パネル１２の外側にそれぞれ配置された偏光体３６，３８と、を有し、液晶表示パネル１２の表示面側に配置された偏光体３８は、偏光子４２と、偏光子４２を挟持する一対の保護膜４４，４６と、を有し、偏光子４２の表示面側に配置された保護膜４６は、位相差値を有し、表示面側の偏光体３８よりも外側に、直線偏光の光Ｌを円偏光又は楕円偏光の光Ｌとして射出する。【選択図】図１
2009282424.tif 000002
【特許請求の範囲】
【請求項１】
画素電極及び共通電極を有する一対の基板の間に液晶を挟持して形成された液晶表示パネルと、
該液晶表示パネルの外側にそれぞれ配置された偏光体と、
を有し、
前記液晶表示パネルの表示面側に配置された前記偏光体は、
偏光子と、
該偏光子を挟持する一対の保護膜と、
を有し、
前記偏光子の表示面側に配置された前記保護膜は、位相差値を有し、
前記表示面側の偏光体よりも外側に、直線偏光の光を円偏光又は楕円偏光の光として射出することを特徴とする液晶表示装置。
【請求項２】
請求項１に記載の液晶表示装置において、
前記位相差値を有する前記保護膜は、λ／４位相差膜であることを特徴とする液晶表示装置。
【請求項３】
請求項１又は２に記載の液晶表示装置において、
前記位相差値を有する前記保護膜は、コーティング位相差膜であること特徴とする液晶表示装置。
【請求項４】
請求項１〜３のいずれか一項に記載の液晶表示装置において、
前記位相差値を有する前記保護膜の表示面側に配置されたハードコート層を更に有することを特徴とする液晶表示装置。
【請求項５】
請求項１〜４のいずれか一項に記載の液晶表示装置を備えたことを特徴とする電子機器。
【請求項６】
偏光子と、
該偏光子を挟持する一対の保護膜と、
を有し、
該保護膜は、少なくとも一方が位相差値を有することを特徴とする偏光体。
【請求項７】
請求項６に記載の偏光体において、
前記位相差値を有する前記保護膜は、λ／４位相差膜であることを特徴とする偏光体。
【請求項８】
請求項６又は７に記載の偏光体において、
前記位相差値を有する前記保護膜は、コーティング位相差膜であること特徴とする偏光体。
【発明の詳細な説明】
【技術分野】
【０００１】
本発明は、液晶表示装置、電子機器、及び偏光体に関するものである。
【背景技術】
【０００２】
液晶表示装置は、主に、液晶表示パネルと照明装置とにより構成される。照明装置から射出された光は液晶表示パネルを透過し、これにより液晶表示パネルは照明される。液晶表示パネルは、２枚の基板に液晶を挟持してなる構造を有している。液晶表示パネルの照明装置側の外面上には、下偏光体が設置され、液晶表示パネルの観察者側の外面上には、上偏光体が設置される。液晶表示パネルは、液晶分子を反転させて、その配向を制御することで階調を変化させる。
【０００３】
一般的な液晶表示装置では、観察者が偏光サングラス等の偏光めがねをかけて表示画面を見る場合を想定して、上偏光体は、その透過軸の角度が、表示画面の横方向又は縦方向に対して４５°となるように設定されている。しかし、このように、上偏光体の角度が規定されてしまうと、液晶表示パネルの液晶分子の反転方向も、それに合わせる必要があり、製造工程上、困難なことが多い。
【０００４】
図５（Ａ）に偏光サングラス対応をしていない液晶表示装置構成を示す。偏光体９０は、観察者側（図面上側）から保護膜９０ｃ、偏光子９０ａ、及び保護膜９０ｂの順に構成されている。偏光体９０の観察者側にはハードコート層５２が形成されている。偏光体９０の厚さは例えば１２０μｍである。偏光体９０はハードコート層５２のため耐擦傷性に優れている。
【０００５】
又、図５（Ｂ）及び（Ｃ）に偏光サングラス対応をしている液晶表示装置構成を示す。図５（Ｂ）に示すように、位相差膜９２を偏光体９０と観察者の間に設置することで、偏光体９０から射出された光を、直線偏光から円偏光に変換している（例えば、特許文献１参照）。
【０００６】
更に、液晶表示パネル１２の偏光体９０の前面に位相差膜９２を配置し、位相差膜９２のリターデイションΔｎ・ｄを１４０ｎｍや４０００ｎｍ等付近に設定し、且つ、位相差膜９２の光学軸と偏光体９０の吸収軸とのなす角度は４５°を用いている（例えば、特許文献２及び３参照）。
【０００７】
これにより、偏光体９０の透過軸の角度がどのような角度であっても、偏光めがねをかけた観察者は、表示画面上に表示された表示画像を見ることができる。つまり、特許文献１〜３に記載の液晶表示装置では、偏光体９０の透過軸の角度、及び、液晶表示パネルの液晶分子の反転方向を、観察者に合わせて設定する必要がない。
【０００８】
又、図５（Ｃ）にカバー一体型を示す。偏光体９０の観察者側にはカバー９４が形成されている。
【０００９】
【特許文献１】特開２００５−３５２０６８号公報
【特許文献２】特開平６−２５８６３３号公報
【特許文献３】特開平６−２５８６３４号公報
【発明の開示】
【発明が解決しようとする課題】
【００１０】
しかしながら、特許文献１は偏光体９０の前面に位相差膜９２を配置すること、特許文献２及び３は位相差値を規定することで偏光サングラス対応を達成しているが、偏光体９０の前面に位相差膜９２を配置することで液晶表示装置の厚みが増すという問題がある。又位相差膜９２単体では硬度が低く傷つきやすい。上記カバー一体型の場合は、傷はつきにくいが厚みはカバー９４と位相差膜９２とになるので厚くなる。
【課題を解決するための手段】
【００１１】
本発明は、上述の課題の少なくとも一部を解決するためになされたものであり、以下の形態又は適用例として実現することが可能である。
【００１２】
［適用例１］画素電極及び共通電極を有する一対の基板の間に液晶を挟持して形成された液晶表示パネルと、該液晶表示パネルの外側にそれぞれ配置された偏光体と、を有し、前記液晶表示パネルの表示面側に配置された前記偏光体は、偏光子と、該偏光子を挟持する一対の保護膜と、を有し、前記偏光子の表示面側に配置された前記保護膜は、位相差値を有し、前記表示面側の偏光体よりも外側に、直線偏光の光を円偏光又は楕円偏光の光として射出することを特徴とする液晶表示装置。
【００１３】
これによれば、液晶表示パネルの表示面側に配置された偏光体の、表示面側に配置された支持基材である保護膜として位相差膜を配置することで、従来の偏光サングラス対応よりも保護膜１枚分薄型の偏光体構成で、観察者が偏光めがねをかけて眺めた場合でも、見る方向によって表示面が見えなくなることのない偏光サングラス対応を可能とする液晶表示装置を提供する。
【００１４】
［適用例２］上記液晶表示装置であって、前記位相差値を有する前記保護膜は、λ／４位相差膜であることを特徴とする液晶表示装置。
【００１５】
これによれば、表示面側の偏光体よりも外側に、直線偏光を円偏光又は楕円偏光として射出することが容易になる。
【００１６】
［適用例３］上記液晶表示装置であって、前記位相差値を有する前記保護膜は、コーティング位相差膜であることを特徴とする液晶表示装置。
【００１７】
これによれば、液晶表示装置が更に薄くなる。
【００１８】
［適用例４］上記液晶表示装置であって、前記位相差値を有する前記保護膜の表示面側に配置されたハードコート層を更に有することを特徴とする液晶表示装置。
【００１９】
これによれば、耐擦傷性が更に向上する。
【００２０】
［適用例５］上記に記載の液晶表示装置を備えたことを特徴とする電子機器。
【００２１】
これによれば、上記液晶表示装置を搭載しているので、従来の偏光サングラス対応よりも保護膜１枚分薄型の偏光体構成で、観察者が偏光めがねをかけて眺めた場合でも、見る方向によって表示面が見えなくなることのない偏光サングラス対応を可能とする電子機器が提供できる。
【００２２】
［適用例６］偏光子と、該偏光子を挟持する一対の保護膜と、を有し、該保護膜は、少なくとも一方が位相差値を有することを特徴とする偏光体。
【００２３】
これによれば、少なくとも一方の支持基材である保護膜に位相差膜を配置することで、薄型の偏光体を提供する。
【００２４】
［適用例７］上記偏光体であって、前記位相差値を有する前記保護膜は、λ／４位相差膜であることを特徴とする偏光体。
【００２５】
これによれば、直線偏光の光を円偏光又は楕円偏光の光として射出することが容易になる。
【００２６】
［適用例８］上記偏光体であって、前記位相差値を有する前記保護膜は、コーティング位相差膜であること特徴とする偏光体。
【００２７】
これによれば、偏光体が更に薄くなる。
【発明を実施するための最良の形態】
【００２８】
以下、実施形態について図面を参照して説明する。尚、以下の説明に用いる各図面では、各部材を認識可能な大きさとするため、各部材の縮尺を適宜変更している。
【００２９】
［液晶表示装置の構成］
先ず、本実施形態の液晶表示装置について、図１及び図２を参照して説明する。
図１は、本実施形態に係る液晶表示装置の断面図である。図２は、本実施形態に係る液晶表示装置の偏光体の断面図である。本実施形態に係る液晶表示装置２は、図１に示すように、主に、照明装置１０と液晶表示パネル１２とより構成される。照明装置１０は、主に、導光板１４と光源部１６とより構成される。液晶表示パネル１２は、導光板１４の上面側に対向して配置される。又、照明装置１０は、導光板１４の下面側に反射シート１８を備える。
【００３０】
光源部１６は、導光板１４の端面１４ｃに配置され、点光源である複数のＬＥＤ２０を備える。
【００３１】
各ＬＥＤ２０から射出された光Ｌは、導光板１４の端面１４ｃより導光板１４内へ入る。導光板１４において、上面は、光を射出する射出面１４ａとして機能し、下面は、光を反射する反射面１４ｂとして機能する。光Ｌは、導光板１４の射出面１４ａと反射面１４ｂの間で反射を繰り返すことにより方向を変え、射出面１４ａより外部へ射出する。射出した光Ｌは、液晶表示パネル１２へ向けて進む。
【００３２】
液晶表示パネル１２は、導光板１４の発光面積と略同一の表示面積を有する。液晶表示パネル１２は、ガラス等の基板２２及び２４を、シール材２６を介して貼り合わせてセル構造を形成し、その内部に液晶２８を封入して構成される。基板２２の内面上には、サブ画素毎に画素電極３０が配置され、基板２４の内面上には、全面に共通電極３２、サブ画素毎に着色層３４が配置される。尚、本実施形態に係る液晶表示パネル１２は、ＴＮ（Twisted Nematic）方式の液晶表示パネルであり、画素電極３０と共通電極３２との間に電圧を印加することにより、液晶２８の液晶分子を反転させ、その配向を変化させる。
【００３３】
基板２２の外面上には、下偏光板（偏光体）３６が設置され、基板２４の外面上には、偏光体３８が設置される。図２に示すように、下偏光板３６は、液晶表示パネル１２の基板２２（図１参照）の外面上に接着剤４０を介して接着されている。偏光体３８は、液晶表示パネル１２の基板２４（図１参照）の外面上に接着剤４０を介して接着されている。
【００３４】
下偏光板３６は、偏光子３６ａと偏光子３６ａを挟持する一対の保護膜３６ｂ，３６ｃとを有している。
【００３５】
液晶表示パネル１２の表示面側に配置された偏光体３８は、偏光子４２と偏光子４２を挟持する一対の保護膜４４，４６とを有している。偏光体３８の片側の支持基材である保護膜４６の変わりに一般的に用いられる位相差膜を配置する。偏光子４２の表示面側に配置された保護膜４６は、位相差値を有し、表示面側の偏光体３８よりも外側に、直線偏光の光Ｌを円偏光又は楕円偏光として射出する。
【００３６】
偏光子４２の厚さは、例えば２０〜３０μｍである。保護膜４４の厚さは、例えば数十〜８０μｍである。位相差膜（保護膜）４６の厚さは、例えば３０〜６０μｍである。これにより、偏光体３８の厚みは従来の構成と同等程度になる。
【００３７】
尚、位相差膜４６としてλ／４位相差膜を用いてもよい。これにより、直線偏光の光を円偏光又は楕円偏光の光として射出することが容易になる。
【００３８】
又、位相差膜４６としてコーティング位相差膜を用いてもよい。位相差膜４６としてコーティング位相差膜を用いると更に薄型となる。例えば１０〜２０μｍの厚さである。これにより、従来の偏光体よりも更に薄くすることが可能である。
【００３９】
位相差膜４６は、例えばリターデイションΔｎ・ｄを１２０〜１６０ｎｍの範囲に設定し、且つ、位相差膜４６の光学軸と偏光子４２の吸収軸とのなす角度を４５°に設定する。
【００４０】
位相差膜４６は、例えばポリカーボネイト等の異常光線と常光線との間で位相差を生じるフィルムからなり、高分子材料が熱延伸され、一軸延伸高分子フィルムに形成されている。位相差膜４６は、例えばポリカーボネイト、シクロオレフィンポリマー、液晶ポリマー、及びポリサルフォン等のエンジニアリングプラスティックである。又位相差膜４６は、雲母、人工雲母、水晶等の無機物により作製することもできる。位相遅れ（リターデイション）Ｒと屈折率ｎｅ，ｎｏとの間には、Ｒ＝｜ｎｅ−ｎｏ｜×ｄ＝Δｎ・ｄの関係が成り立つ。ここで、ｄは膜材の厚さ、ｎｅは異常光線に対する屈折率、ｎｏは常光線に対する屈折率である。接着剤４０は、例えばアクリル系で厚さは２０μｍである。
【００４１】
前述のように表示面側に偏光体３８が配設された液晶表示パネル１２では、偏光子４２から射出した光Ｌは、偏光子４２の透過軸の方向と一致する直線偏光となっているが、本実施形態では位相差膜４６を配設しているため、位相差膜４６を透過する際に常光線と異常光線との間に位相のずれが生じ、円偏光又は楕円偏光に変わる。従って位相差膜４６を配設することにより、従来の偏光サングラス対応よりも保護膜１枚分（例えば数十〜８０μｍ）薄型の偏光体構成で、観察者４８が偏光めがね５０をかけて眺めた場合でも、見る方向によって表示面が見えなくなることのない偏光サングラス対応が可能である。
【００４２】
位相差膜４６の表示面側にはハードコート層５２が配置されている。ハードコート層５２は、透明材料であれば材質は問わない。ハードコート層５２は、例えば厚さ５μｍ程度で樹脂系材料である。これによれば、耐擦傷性が更に向上する。
尚、位相差膜４６には、表面に細かい粒子（シリカ球：数μｍ）を分散させてギラツキ防止処理し、光を散乱させ写り込みを防止する機能をもたせてもよい。こうすることにより液晶表示パネル表面における外光写り込みによる視認性低下を防止する効果がある。
又、位相差膜４６には、表面に多層膜（金属膜ＴｉＯ2（数ｎｍ）等）を形成し、光を干渉によって反射を防止する機能をもたせてもよい。こうすることにより液晶表示パネル表面における外光反射による視認性低下を防止する効果がある。
【００４３】
図１に戻り、照明装置１０と液晶表示パネル１２との間には、光学シートとして、例えば、拡散シート５４、プリズムシート５６が設けられる。拡散シート５４は、導光板１４より射出された光Ｌを全方位に拡散する役割を有する。プリズムシート５６は、その断面が複数の略三角形のプリズム形状を一つの方向に延在させた形状となっており、光Ｌを液晶表示パネル１２に集光する役割を有する。
【００４４】
照明装置１０から射出した光Ｌは、拡散シート５４及びプリズムシート５６を通過した後、下偏光板３６に入射する。光Ｌは、下偏光板３６を透過する際に直線偏光される。直線偏光された光Ｌは、液晶表示パネル１２に入射する。
【００４５】
液晶表示パネル１２は、先にも述べたように、ＴＮ方式の液晶表示パネルなので、電圧無印加時に、光を透過し、電圧印加時には、光を遮断する。上下の偏光板は、その透過軸が予め直交する方向に配置され、液晶分子はねじれるように挟持されている。よって、電圧無印加時には、下偏光板の透過軸に沿って入射した光は、液晶のねじれに沿って進み、上偏光板に到達する際には、下偏光板の透過軸と直交する方向に射出することになる（白表示）。電圧印加時には、液晶のねじれが解けて、下偏光板の透過軸に沿って入射した光は、まっすぐに進行し、上偏光板に到達した時点においても、下偏光板の透過軸と同じ方向のままなので、上偏光板を透過することができない（黒表示）。つまり、画素電極３０と共通電極３２との間に電圧が印加されている場合、下偏光板３６を透過し、液晶表示パネル１２に入射した光Ｌは、液晶２８を通過してもその偏光方向は変わらず、下偏光板３６の透過軸と同じ方向のままで、偏光体３８の偏光子４２（図２参照）の透過軸と直交する方向となるため、偏光子４２を通過することができない。
【００４６】
一方、画素電極３０と共通電極３２との間に電圧が印加されていない場合には、液晶表示パネル１２に入射した光Ｌは、液晶２８によって、その偏光方向が回転させられた後、偏光体３８に入射する。この場合、偏光体３８の偏光子４２（図２参照）の透過軸と同じ方向に偏光方向を有することとなるので、偏光子４２を透過することができる。
【００４７】
本実施形態では、観察者４８は、偏光サングラス等の偏光めがね５０をかけている。即ち、偏光めがね５０は偏光板である。従って、液晶表示装置２は、偏光体３８の光Ｌが射出する側に、言い換えると、観察者４８側に、更にもう一つ、偏光板を有することとなる。そこで、本実施形態に係る液晶表示装置２では、偏光体３８において位相差膜４６が偏光子４２の外面上に設置されている。位相差膜４６は、偏光体３８よりも外側に、直線偏光の光Ｌを円偏光又は楕円偏光として射出する。
【００４８】
上記実施形態では、液晶表示パネル１２の背後に光源部１６を配置する透過型液晶表示装置の例を示したが、光源部１６に代えて反射板を配置し、表示面側からの光を反射させる反射型液晶表示装置にしても反射した光が透過型の場合と同じ経路をとるため、同様の結果がえられる。
【００４９】
本実施形態の効果はポジタイプの液晶表示デバイスのみならず、ネガタイプの液晶表示デバイスの場合でも、同様の効果がえられる。更に本実施形態は、ＴＮ液晶を用いた液晶表示デバイスに限定されず、他の液晶、例えばスーパーツイストネマティック液晶を用いた液晶表示装置等でも、表示面側の偏光体の偏光子の吸収軸と位相差膜の光学軸方向の関係を保持することにより、同様の効果がえられる。
【００５０】
（光の偏光方向）
次に、光Ｌの偏光方向について述べる。
図３は、本実施形態に係る液晶表示装置２における光Ｌの偏光方向を示す模式図である。図３において、紙面横方向Ｐｏｌに対し、下偏光板３６の透過軸３６ｘの角度は９０°、偏光体３８の偏光子４２の透過軸４２ｘの角度は０°、偏光めがね５０の透過軸５０ｘの角度は９０°であるとする。この偏光めがね５０の透過軸５０ｘの角度は、一般的な偏光サングラスの透過軸の角度を想定している。即ち、偏光めがね５０が一般的な偏光サングラスである場合、その透過軸は、観察者４８の左右の目を結んだ直線に対し垂直方向に設けられ、吸収軸は、透過軸と垂直な方向、即ち、左右の目を結んだ直線の方向に設けられる。なぜなら、一般的な偏光サングラスでは、海や川等の水面で反射された太陽の光の反射光によるギラツキを抑えるために、水面に平行な方向に偏光方向を有する当該反射光を遮断する必要があるためである。
【００５１】
又、液晶表示パネル１２では、画素電極３０と共通電極３２との間に電圧が印加されておらず、液晶２８によって光Ｌの偏光方向が９０°回転されるとする。
【００５２】
照明装置１０より射出された光Ｌは、下偏光板３６を透過する際、直線偏光される。透過軸３６ｘの角度は、紙面横方向Ｐｏｌに対し９０°となっているので、下偏光板３６を透過する際に直線偏光された光Ｌの偏光方向は、紙面横方向Ｐｏｌに対し９０°の方向となる。
【００５３】
下偏光板３６で偏光された光Ｌは、液晶表示パネル１２に入射する。このとき、光Ｌは、波線矢印１２Ｌｉｎで示す方向、即ち、紙面横方向Ｐｏｌに対し９０°の方向に偏光方向を有している。液晶表示パネル１２では、液晶２８によって、光Ｌの偏光方向が９０°回転されるので、液晶表示パネル１２を射出するときの光Ｌの偏光方向は、波線矢印１２Ｌｏｕｔで示す方向、即ち、紙面横方向Ｐｏｌに対し０°の方向となる。
【００５４】
偏光子４２の透過軸４２ｘの方向と液晶表示パネル１２を射出した光Ｌの偏光方向は、どちらも紙面横方向Ｐｏｌに対し０°の方向となっている。従って、光Ｌは、偏光子４２を透過することができる。
【００５５】
偏光子４２を透過した光Ｌは、偏光体３８の位相差膜４６に入射する。このとき、光Ｌは、波線矢印４６Ｌｉｎの方向、即ち、紙面横方向Ｐｏｌに対し０°の方向に偏光方向を有している。例えば、図３に示す位相差膜４６では、その光学軸４６ｘの方向は、偏光子４２の透過軸４２ｘに対し４５°の角度となる方向に合わされているため、位相差膜４６に入射した光Ｌの偏光方向（波線矢印４６Ｌｉｎの方向）に対し４５°の角度をなしている。従って、位相差膜４６に入射した光Ｌは、位相差膜４６を透過する際に常光線と異常光線との間に位相のずれが生じ、円偏光又は楕円偏光に変わる。
【００５６】
位相差膜４６より射出した光Ｌは、偏光めがね５０に入射する。本実施形態では位相差膜４６を配設しているため、位相差膜４６を透過する際に常光線と異常光線との間に位相のずれが生じ、円偏光又は楕円偏光に変わる。従って位相差膜４６を配設することにより、従来の偏光サングラス対応よりも保護膜１枚分薄型の偏光体構成で、観察者４８が偏光めがね５０をかけて眺めた場合でも、見る方向によって表示面が見えなくなることのない偏光サングラス対応が可能である。
【００５７】
［変形例］
上述の実施形態では、液晶表示パネル１２は、ＴＮ方式の液晶表示パネルであるとしているが、これに限られるものではなく、代わりに、ＶＡ（Vertical Aligned）方式の液晶表示パネルや、横電界方式の液晶表示パネルなどの他の液晶表示パネルを用いても良いのは言うまでもない。
【００５８】
又、上述の実施形態では、偏光めがね５０を用いるとしているが、これに限られるものではなく、代わりに、偏光体の機能を有する他の部材を用いるとしてもよいのは言うまでもない。
【００５９】
本実施形態によれば、液晶表示装置２は、偏光体３８の表示面側に配置された位相差膜４６が位相差値を有し、表示面側の偏光体３８よりも外側に、直線偏光を円偏光又は楕円偏光として射出する。その結果、従来の偏光サングラス対応よりも保護膜１枚分薄型の偏光体構成で、観察者４８が偏光めがね５０をかけて眺めた場合でも、見る方向によって表示面が見えなくなることのない偏光サングラス対応が可能である。
【００６０】
（電子機器）
図４は、本実施形態に係る電子機器の一例を示す斜視図である。図４に示す携帯型電話機１００は、上記実施形態の液晶表示装置２を小サイズの表示部１０２として備え、複数の操作ボタン１０４、受話口１０６、及び送話口１０８を備えて構成されている。従って、従来の偏光サングラス対応よりも保護膜１枚分薄型の偏光体構成で、観察者４８が偏光めがね５０をかけて眺めた場合でも、見る方向によって表示面が見えなくなることのない偏光サングラス対応を可能とする薄型の携帯型電話機１００を提供する。
【００６１】
上記実施形態に係る液晶表示装置２は、上記携帯型電話機１００に限らず、電子ブック、パーソナルコンピュータ、ディジタルスチルカメラ、液晶テレビ、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器、フィールドシーケンシャル（ＦＳ）表示方式を用いた３Ｄ液晶表示装置、２画面液晶表示装置、プロジェクションテレビ向けライトバルブ等々の画像表示手段として好適に用いることができ、いずれの電子機器においても、観察者４８が偏光めがね５０をかけて眺めた場合でも、見る方向によって表示面が見えなくなることのない偏光サングラス対応を可能とする薄型の電子機器を提供する。
【図面の簡単な説明】
【００６２】
【図１】本実施形態に係る液晶表示装置の断面図。
【図２】本実施形態に係る液晶表示装置の偏光体の断面図。
【図３】本実施形態に係る液晶表示装置における光の偏光方向を示す模式図。
【図４】本実施形態に係る電子機器の一例を示す斜視図。
【図５】従来の偏光体の断面図。
【符号の説明】
【００６３】
２…液晶表示装置  １０…照明装置  １２…液晶表示パネル  １４…導光板  １４ａ…射出面  １４ｂ…反射面  １４ｃ…端面  １６…光源部  １８…反射シート  ２０…ＬＥＤ  ２２，２４…基板  ２６…シール材  ２８…液晶  ３０…画素電極  ３２…共通電極  ３４…着色層  ３６…下偏光板（偏光体）  ３６ａ…偏光子  ３６ｂ，３６ｃ…保護膜  ３６ｘ…透過軸  ３８…偏光体  ４０…接着剤  ４２…偏光子  ４２ｘ…透過軸  ４４…保護膜  ４６…位相差膜（保護膜）  ４６ｘ…光学軸  ４８…観察者  ５０…偏光めがね  ５０ｘ…透過軸  ５２…ハードコート層  ５４…拡散シート  ５６…プリズムシート  １００…携帯型電話機  １０２…表示部  １０４…操作ボタン  １０６…受話口  １０８…送話口。
【図１】
2009282424.tif 000003
【図２】
2009282424.tif 000004
【図３】
2009282424.tif 000005
【図４】
2009282424.tif 000006
【図５】
2009282424.tif 000007